【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
基準クロックを発生させる基準クロック発振回路と、電圧制御発振器と、前記電圧制御発振器からの出力を増幅する増幅器と、前記基準クロックに基づいて設定される周波数の信号を生成し、生成した設定周波数の信号と前記電圧制御発振器から入力される信号の位相を比較し、位相差信号を電圧値として前記電圧制御発振器に出力する制御部と、チャンネル番号を設定するスイッチと、前記制御部に設定する周波数の情報を出力する中央演算処理装置とを備えたシンセサイザモジュールであって、
外部から選択された周波数モードを記憶するメモリを備え、
前記中央演算処理装置が、前記メモリに記憶された選択された周波数モードと、当該周波数モードに対応した周波数計算式とを読み込んで、前記スイッチに設定されたチャンネル番号に対応する周波数の値を前記周波数計算式に基づいて算出し、前記制御部に出力する中央演算処理装置であることを特徴とするシンセサイザモジュール。
【請求項２】
メモリには、特定の周波数の値が記憶されており、
中央演算処理装置は、スイッチに設定されたチャンネル番号が、メモリに記憶されている選択された周波数モードに対応するチャンネル番号の有効範囲内か否かを判定し、有効範囲外であれば、前記メモリから前記特定の周波数の値を読み込んで、制御部に出力し、有効範囲内であれば、前記メモリに記憶されている選択された周波数モードと、当該周波数モードに対応した周波数計算式とを読み込んで、スイッチに設定されたチャンネル番号に対応する周波数の値を前記周波数計算式に基づいて算出し、前記制御部に出力する請求項１記載のシンセサイザモジュール。
【請求項３】
中央演算処理装置に、特定の周波数の値が設定されており、
前記中央演算処理装置が、スイッチに設定されたチャンネル番号が、メモリに記憶されている選択された周波数モードに対応するチャンネル番号の有効範囲内か否かを判定し、有効範囲外であれば、前記特定の周波数の値を制御部に出力し、有効範囲内であれば、前記メモリに記憶されている選択された周波数モードと、当該周波数モードに対応した周波数計算式とを読み込んで、スイッチに設定されたチャンネル番号に対応する周波数の値を前記周波数計算式に基づいて算出し、前記制御部に出力する請求項１記載のシンセサイザモジュール。
【請求項４】
基準クロックを発生させる基準クロック発振回路と、電圧制御発振器と、前記電圧制御発振器からの出力を増幅する増幅器と、前記基準クロックに基づいて設定される周波数の信号を生成し、生成した設定周波数の信号と前記電圧制御発振器から入力される信号の位相を比較し、位相差信号を電圧値として前記電圧制御発振器に出力する制御部と、チャンネル番号を設定するスイッチと、前記制御部に設定する周波数の情報を出力する中央演算処理装置とを備えたシンセサイザモジュールであって、
複数のチャンネルの周波数モード毎に、チャンネル番号とそれに対応する周波数の値を記憶するテーブルと、外部から選択された周波数モードを記憶するメモリを備え、
前記中央演算処理装置が、前記メモリから選択された周波数モードを読み込み、前記スイッチに設定されたチャンネル番号を読み込み、当該チャンネル番号が、メモリに記憶されている選択された周波数モードに対応するチャンネル番号の有効範囲内か否かを判定し、有効範囲内であれば、前記周波数モードと前記チャンネル番号に基づいて前記テーブルを検索して対応する周波数の値を求め、前記制御部に出力する中央演算処理装置であることを特徴とするシンセサイザモジュール。
【請求項５】
メモリには、特定の周波数の値が記憶されており、
中央演算処理装置は、スイッチに設定されたチャンネル番号が、メモリに記憶されている選択された周波数モードに対応するチャンネル番号の有効範囲内か否かを判定し、有効範囲外であれば、前記メモリから前記特定の周波数の値を読み込んで、制御部に出力する請求項４記載のシンセサイザモジュール。
【請求項６】
中央演算処理装置に、特定の周波数の値が設定されており、
前記中央演算処理装置が、スイッチに設定されたチャンネル番号が、メモリに記憶されている選択された周波数モードに対応するチャンネル番号の有効範囲内か否かを判定し、有効範囲外であれば、前記特定の周波数の値を制御部に出力する請求項４記載のシンセサイザモジュール。
【手続補正２】
【補正対象書類名】明細書
【補正対象項目名】００１１
【補正方法】変更
【補正の内容】
【００１１】
また、本発明は、上記シンセサイザモジュールにおいて、メモリには、特定の周波数の値が記憶されており、中央演算処理装置は、スイッチに設定されたチャンネル番号が、メモリに記憶されている選択された周波数モードに対応するチャンネル番号の有効範囲内か否かを判定し、有効範囲外であれば、メモリから特定の周波数の値を読み込んで、制御部に出力し、有効範囲内であれば、メモリに記憶されている選択された周波数モードと、当該周波数モードに対応した周波数計算式とを読み込んで、スイッチに設定されたチャンネル番号に対応する周波数の値を周波数計算式に基づいて算出し、制御部に出力することを特徴としている。
また、本発明は、上記シンセサイザモジュールにおいて、中央演算処理装置に、特定の周波数の値が設定されており、中央演算処理装置が、スイッチに設定されたチャンネル番号が、メモリに記憶されている選択された周波数モードに対応するチャンネル番号の有効範囲内か否かを判定し、有効範囲外であれば、特定の周波数の値を制御部に出力し、有効範囲内であれば、メモリに記憶されている選択された周波数モードと、当該周波数モードに対応した周波数計算式とを読み込んで、スイッチに設定されたチャンネル番号に対応する周波数の値を周波数計算式に基づいて算出し、制御部に出力することを特徴としている。
また、本発明は、基準クロックを発生させる基準クロック発振回路と、電圧制御発振器と、電圧制御発振器からの出力を増幅する増幅器と、基準クロックに基づいて設定される周波数の信号を生成し、生成した設定周波数の信号と電圧制御発振器から入力される信号の位相を比較し、位相差信号を電圧値として電圧制御発振器に出力する制御部と、チャンネル番号を設定するスイッチと、制御部に設定する周波数の情報を出力する中央演算処理装置とを備えたシンセサイザモジュールであって、複数のチャンネルの周波数モード毎に、チャンネル番号とそれに対応する周波数の値を記憶するテーブルと、外部から選択された周波数モードを記憶するメモリを備え、中央演算処理装置が、メモリから選択された周波数モードを読み込み、スイッチに設定されたチャンネル番号を読み込み、当該チャンネル番号が、メモリに記憶されている選択された周波数モードに対応するチャンネル番号の有効範囲内か否かを判定し、有効範囲内であれば、周波数モードとチャンネル番号に基づいてテーブルを検索して対応する周波数の値を求め、制御部に出力する中央演算処理装置であることを特徴としている。
【手続補正３】
【補正対象書類名】明細書
【補正対象項目名】００１５
【補正方法】変更
【補正の内容】
【００１５】
また、本発明によれば、メモリには、特定の周波数の値が記憶されており、中央演算処理装置は、スイッチに設定されたチャンネル番号が、メモリに記憶されている選択された周波数モードに対応するチャンネル番号の有効範囲内か否かを判定し、有効範囲外であれば、メモリから特定の周波数の値を読み込んで、制御部に出力し、有効範囲内であれば、メモリに記憶されている選択された周波数モードと、当該周波数モードに対応した周波数計算式とを読み込んで、スイッチに設定されたチャンネル番号に対応する周波数の値を周波数計算式に基づいて算出し、制御部に出力する上記シンセサイザモジュールとしているので、スイッチから誤ったチャンネル番号が設定された場合でも、当該周波数モードにおける標準の周波数を設定することができる効果がある。
また、本発明によれば、中央演算処理装置に、特定の周波数の値が設定されており、中央演算処理装置が、スイッチに設定されたチャンネル番号が、メモリに記憶されている選択された周波数モードに対応するチャンネル番号の有効範囲内か否かを判定し、有効範囲外であれば、特定の周波数の値を制御部に出力し、有効範囲内であれば、メモリに記憶されている選択された周波数モードと、当該周波数モードに対応した周波数計算式とを読み込んで、スイッチに設定されたチャンネル番号に対応する周波数の値を周波数計算式に基づいて算出し、制御部に出力する上記シンセサイザモジュールとしているので、スイッチから誤ったチャンネル番号が設定された場合でも、当該周波数モードにおける標準の周波数を設定することができる効果がある。
また、本発明によれば、複数のチャンネルの周波数モード毎に、チャンネル番号とそれに対応する周波数の値を記憶するテーブルと、外部から選択された周波数モードを記憶するメモリを備え、中央演算処理装置が、メモリから選択された周波数モードを読み込み、スイッチに設定されたチャンネル番号を読み込み、当該チャンネル番号が、メモリに記憶されている選択された周波数モードに対応するチャンネル番号の有効範囲内か否かを判定し、有効範囲内であれば、周波数モードとチャンネル番号に基づいてテーブルを検索して対応する周波数の値を求め、制御部に出力するシンセサイザモジュールとしているので、仕向け先地域の周波数モードをメモリに設定しておけば、チャンネル番号を設定する操作だけで、チャンネル番号が有効範囲内に限り、チャンネル番号に対応した周波数を読み出して制御部に設定することができ、仕向け先地域にかかわらず、共通の装置仕様で適切な周波数を出力することができ、装置コストを低減すると共に、周波数設定の操作を容易にすることができる効果がある。